(57)【要約】  医薬送達デバイスは、医薬を保持するように構成された医薬チャンバー、前記医薬チャンバーから前記医薬を吐出するために、前記医薬チャンバーに対して移動するように構成されたプランジャー、ピンであって、前記ピンが前記プランジャーの移動を阻止する第一のピン位置から、前記ピンが前記プランジャーの移動を可能とする第二のピン位置まで移動するように構成された、ピン、前記ピンを前記第一のピン位置から前記第二のピン位置まで移動させるように構成された作動アセンブリ、及び前記医薬チャンバーに結合された針、を備えていてよい。前記医薬は、前記医薬チャンバーからユーザーへ、前記針を通って流れてよい。前記作動アセンブリは、所定の時間遅延後に前記ピンを自動的に移動させるように構成されていてよい。
2020524024.tif 000002
【特許請求の範囲】
【請求項１】
医薬を保持するように構成された医薬チャンバーと、
前記医薬チャンバーから前記医薬を吐出するために、前記医薬チャンバーに対して移動するように構成されたプランジャーと、
ピンであって、前記ピンが前記プランジャーの移動を阻止する第一のピン位置から、前記ピンが前記プランジャーの移動を可能とする第二のピン位置まで移動するように構成された、ピンと、
前記ピンを前記第一のピン位置から前記第二のピン位置まで移動させるように構成された作動アセンブリと、及び
前記医薬チャンバーに結合された針であって、前記医薬が、前記針を通って前記医薬チャンバーからユーザーへ流れる、針と、
を備えた医薬送達デバイス。
【請求項２】
前記作動アセンブリが、
前記ピンに結合されたアダプターと、及び
前記アダプターを第一のアダプター位置から第二のアダプター位置まで移動させ、それによって、前記ピンを前記第一のピン位置から前記第二のピン位置まで移動させるように構成されたアクティベーターと、
を備えた、請求項１に記載の医薬送達デバイス。
【請求項３】
前記アダプターが、前記ピンの少なくとも一部分を受けるように構成された内部開口部を含む、請求項２に記載の医薬送達デバイス。
【請求項４】
前記アダプターが、前記ピンのリムと係合するように構成された曲折可能フランジを含む、請求項３に記載の医薬送達デバイス。
【請求項５】
前記作動アセンブリが、
前記アダプターを受けるように構成された内部開口部を有するギア、
をさらに備え、
前記アダプターは、前記ギアに対して移動するように構成されている、請求項２に記載の医薬送達デバイス。
【請求項６】
前記アクティベーターに結合されたドライブギアであって、前記ドライブギアは、前記アクティベーターが前記ドライブギアを回転させるに従って前記アクティベーターが前記ギアを回転させるように前記ギアと噛み合うように構成されている、ドライブギア、
をさらに備えた、請求項５に記載の医薬送達デバイス。
【請求項７】
前記作動アセンブリが、
前記アダプターと結合された係合部材であって、前記係合部材は、第一の係合部材位置から第二の係合部材位置まで前記アダプターに対して移動するように構成されている、係合部材と、及び
前記係合部材が前記第一の係合部材位置にある場合に、前記係合部材の移動を阻止するように構成されたキャッチ部と、
をさらに備え、
前記アダプターは、前記係合部材が前記第二の係合部材位置にある場合、前記第一のアダプター位置から前記第二のアダプター位置まで移動可能である、請求項２に記載の医薬送達デバイス。
【請求項８】
前記アクティベーターが、前記係合部材を前記第二の係合部材位置に向かって推進するように構成された付勢要素を備える、請求項７に記載の医薬送達デバイス。
【請求項９】
前記係合部材を、前記第一の係合部材位置から前記第二の係合部材位置まで移動させるように構成されたアクチュエーターをさらに備えた、請求項７に記載の医薬送達デバイス。
【請求項１０】
前記作動アセンブリが、起動後、所定の時間遅延の後に、前記ピンを自動的に移動させるように構成されている、請求項１に記載の医薬送達デバイス。
【請求項１１】
前記医薬チャンバーの少なくとも一部分、前記プランジャー、及び前記ピンを受けるように構成された筐体、
をさらに備え、
前記作動アセンブリが、前記筐体に取り外し可能に結合されている、請求項１に記載の医薬送達デバイス。
【請求項１２】
第一のプランジャーを含む第一のチャンバーであって、前記第一のプランジャーは、前記第一のチャンバーに対して移動するように構成されている、第一のチャンバーと、
前記第一のチャンバーと流体接続されている第二のチャンバーであって、前記第二のチャンバーは、前記第一のプランジャーが前記第一のチャンバーに対して移動する際に、前記第一のチャンバーから流体を受けるように構成されている、第二のチャンバーと、
第三のプランジャーを含む第三のチャンバーであって、前記第三のチャンバーは、前記第一のチャンバーと流体接続されており、前記第三のチャンバーは、医薬を含有するように構成され、前記第三のプランジャーは、前記第一のプランジャーが前記第一のチャンバーに対して移動する際に、前記第三のチャンバーに対して移動するように構成されている、第三のチャンバーと、
前記第一のプランジャーを前記第一のチャンバーに対して移動させるように構成された付勢要素と、及び
前記第三のチャンバーに結合された針であって、前記針は、前記第三のプランジャーが前記第三のチャンバーに対して移動するに従って、前記医薬が前記第三のチャンバーからユーザーに流れるための経路を提供するように構成されている、針と、
を備えた医薬送達デバイス。
【請求項１３】
前記第一のチャンバーが、流体を受けるように構成され、前記流体の少なくとも一部分は、前記第一のプランジャーが前記第一のチャンバーに対して移動するに従って、前記第一のチャンバーから前記第二のチャンバーに移される、請求項１２に記載の医薬送達デバイス。
【請求項１４】
前記流体の少なくとも一部分が、前記第一のプランジャーが前記第一のチャンバーに対して移動するに従って、前記第一のチャンバーから前記第三のチャンバーに移される、請求項１３に記載の医薬送達デバイス。
【請求項１５】
前記医薬送達デバイスが、前記流体が前記第一のチャンバーから前記第三のチャンバーに移される前に、前記第一のチャンバーから前記第二のチャンバーに前記流体を移すように構成されている、請求項１４に記載の医薬送達デバイス。
【請求項１６】
前記医薬送達デバイスが、第一のピストンが前記第一のチャンバーに対して移動を開始する時間と、第三のピストンが前記第三のチャンバーに対して移動を開始する時間との間に時間遅延が存在するように構成されている、請求項１４に記載の医薬送達デバイス。
【請求項１７】
前記第一のプランジャーが、第一のカラー径を有する第一のカラー、及びボディ径を有するボディを含み、前記ボディ径は、前記第一のカラー径よりも小さい、請求項１４に記載の医薬送達デバイス。
【請求項１８】
前記第一のプランジャーが、第二のカラー径を有する第二のカラーを含み、前記ボディ径は、前記第二のカラー径よりも小さい、請求項１７に記載の医薬送達デバイス。
【請求項１９】
前記第一のチャンバーが、前記第一のチャンバーの遠位端部と前記第一のカラーとの間に遠位部分を含み、
前記第一のチャンバーが、前記第一のカラーと前記第二のカラーとの間に近位部分を含み、及び
前記第一のプランジャーが前記第一のチャンバーに対して移動するに従って、前記流体が、前記遠位部分から、バイパスを通って、前記近位部分に流れる、
請求項１８に記載の医薬送達デバイス。
【請求項２０】
前記第二のチャンバーが、前記流体が前記第一のチャンバーから前記第二のチャンバーに移されるに従って、前記第二のチャンバーに対して移動するように構成された第二のプランジャーを含む、請求項１３に記載の医薬送達デバイス。
【請求項２１】
前記第二のチャンバーが、前記流体が前記第一のチャンバーから前記第二のチャンバーに移されるに従って、前記第二のチャンバーに対して移動するように構成された可撓性膜を含む、請求項１３に記載の医薬送達デバイス。
【請求項２２】
前記第二のチャンバーが、前記流体が前記第一のチャンバーから前記第二のチャンバーに移されるに従って、前記第二のチャンバーからガスは排出させるが、前記第二のチャンバーからの流体の排出は阻止するように構成されたガス透過性膜を含む、請求項１３に記載の医薬送達デバイス。
【請求項２３】
前記第三のチャンバーへの前記流体の移送が、前記第三のプランジャーを前記第三のチャンバーに対して移動させ、それによって、前記第三のチャンバーから前記ユーザーへ、前記針を通って前記医薬が吐出される、請求項１２に記載の医薬送達デバイス。
【発明の詳細な説明】
【技術分野】
【０００１】
関連出願の相互参照
本出願は、その全内容が参照により本明細書に援用される、２０１７年６月２０日に出願された「Ｔｉｍｅ  Ｄｅｌａｙ  Ｍｅｃｈａｎｉｓｍ  ｆｏｒ  ａ  Ｈｙｄｒａｕｌｉｃ  Ｄｒｕｇ  Ｄｅｌｉｖｅｒｙ  Ｄｅｖｉｃｅ」と題する米国特許仮出願第６２／５２２，６４９号の利益を主張するものである。
【０００２】
本発明は、薬物送達デバイス全般に関し、より詳細には、薬物送達デバイスのための時間遅延機構に関する。
【発明の概要】
【０００３】
１つの実施形態では、医薬を保持するように構成された医薬チャンバー、前記医薬チャンバーから前記医薬を吐出するために、前記医薬チャンバーに対して移動するように構成されたプランジャー、ピンであって、前記ピンが前記プランジャーの移動を阻止する第一のピン位置から、前記ピンが前記プランジャーの移動を可能とする第二のピン位置まで移動するように構成された、ピン、前記ピンを前記第一のピン位置から前記第二のピン位置まで移動させるように構成された作動アセンブリ、及び前記医薬チャンバーに結合された針、を備えていてよい医薬送達デバイスが存在する。前記医薬は、前記医薬チャンバーからユーザーへ、前記針を通って流れ得る。前記作動アセンブリは、所定の時間遅延後に前記ピンを自動的に移動させるように構成されていてよい。
【０００４】
前記作動アセンブリは、前記ピンに結合されたアダプター、及び前記アダプターを第一のアダプター位置から第二のアダプター位置まで移動させ、それによって、前記ピンを前記第一のピン位置から前記第二のピン位置まで移動させるように構成されたアクティベーターを備えてよい。前記アダプターは、前記ピンの少なくとも一部分を受けるように構成された内部開口部を含んでよい。前記アダプターは、前記ピンのリムと係合するように構成された曲折可能フランジを含んでよい。
【０００５】
さらなる実施形態では、前記作動アセンブリは、前記アダプターを受けるように構成された内部開口部を有するギアを備えてよい。前記アダプターは、前記ギアに対して移動するように構成されていてよい。前記ギアの前記内部開口部は、ネジ山付き周囲壁部によって定められてよく、前記アダプターは、前記ネジ山付き周囲壁部と噛み合うように構成された雄ネジを備えていてよい。前記アクティベーターは、前記ギアを回転させるように構成されていてよく、前記アダプターは、前記ギアが回転するに従って前記ギアに対して移動するように構成されていてよい。前記アクティベーターは、モーターを備えていてよい。
【０００６】
さらなる実施形態では、前記医薬送達デバイスは、前記モーターに結合されたドライブギアを含んでよく、前記ドライブギアは、前記モーターが前記ドライブギアを回転させるに従って前記モーターが前記ギアを回転させるように前記ギアと噛み合うように構成されている。前記医薬送達デバイスは、さらに、前記医薬チャンバーの少なくとも一部分、前記プランジャー、及び前記ピンを受けるように構成された筐体を含んでよい。前記作動アセンブリは、前記筐体と取り外し可能に結合されていてよい。前記アダプターは、前記筐体に対して回転固定されてよい。
【０００７】
前記作動アセンブリは、さらに、前記アダプターと結合され、第一の係合部材位置から第二の係合部材位置に前記アダプターに対して移動するように構成された係合部材、及び前記係合部材が前記第一の係合位置にある場合、前記係合部材の移動を阻止するように構成されたキャッチ部、を含む。前記アダプターは、前記係合部材が前記第二の係合部材位置にあり得る場合、前記第一のアダプター位置から前記第二のアダプター位置まで移動可能であってよい。前記アクティベーターは、前記係合部材を前記第二の係合部材位置に向かって推進するように構成された付勢要素を含んでよい。
【０００８】
さらなる実施形態では、前記送達デバイスは、前記係合部材を前記第一の係合部材位置から前記第二の係合部材位置まで移動させるように構成されたアクチュエーターを含んでよい。
【０００９】
１つの実施形態では、第一のプランジャーを含む第一のチャンバーであって、前記第一のプランジャーは、前記第一のチャンバーに対して移動するように構成されている、第一のチャンバー、及び前記第一のチャンバーと流体接続された第二のチャンバー、を備えてよい医薬送達デバイスが存在する。前記第二のチャンバーは、前記第一のプランジャーが前記第一のチャンバーに対して移動する際に、前記第一のチャンバーから流体を受けるように構成されていてよい。前記医薬送達デバイスは、第三のプランジャーを含む第三のチャンバーを含んでよく、前記第三のチャンバーは、前記第一のチャンバーと流体接続されている。前記第三のチャンバーは、医薬を含有するように構成されていてよく、前記第三のプランジャーは、前記第一のプランジャーが前記第一のチャンバーに対して移動する際に、前記第三のチャンバーに対して移動するように構成されていてよい。前記医薬送達デバイスは、前記第一のプランジャーを前記第一のチャンバーに対して移動させるように構成された付勢要素、及び前記第三のチャンバーに結合された針を含んでよい。前記針は、前記第三のプランジャーが前記第三のチャンバーに対して移動するに従って、前記医薬が前記第三のチャンバーからユーザーに流れるための経路を提供するように構成されていてよい。
【００１０】
前記第一のチャンバーは、流体を受けるように構成されていてよく、前記流体の少なくとも一部分は、前記第一のプランジャーが前記第一のチャンバーに対して移動するに従って、前記第一のチャンバーから前記第二のチャンバーに移されてよい。前記第二のチャンバーは、前記流体が前記第一のチャンバーから前記第二のチャンバーに移されるに従って、前記第二のチャンバーに対して移動するように構成された第二のプランジャーを含んでよい。前記第二のチャンバーは、前記流体が前記第一のチャンバーから前記第二のチャンバーに移されるに従って、前記第二のチャンバーに対して移動するように構成された可撓性膜を含んでよい。前記第二のチャンバーは、前記流体が前記第一のチャンバーから前記第二のチャンバーに移されるに従って、前記第二のチャンバーに対して伸びるように構成された伸縮性膜を含んでよい。前記第二のチャンバーは、前記流体が前記第一のチャンバーから前記第二のチャンバーに移されるに従って、前記第二のチャンバーからガスは排出させるが、前記第二のチャンバーからの流体の排出は阻止するように構成されたガス透過性膜を含んでよい。前記第一のプランジャーが前記第一のチャンバーに対して移動するに従って、前記流体の少なくとも一部分は、前記第一のチャンバーから前記第三のチャンバーに移されてよい。前記医薬送達デバイスは、前記流体が前記第一のチャンバーから前記第三のチャンバーに移される前に、前記第一のチャンバーから前記第二のチャンバーに前記流体を移すように構成されていてよい。
【００１１】
前記医薬送達デバイスは、第一のピストンが前記第一のチャンバーに対して移動を開始する時間と、前記第三のピストンが前記第三のチャンバーに対して移動を開始する時間との間に時間遅延が存在し得るように構成されていてよい。前記第一のチャンバーは、バイパスを含んでよく、前記流体は、前記第一のチャンバーから前記第三のチャンバーに移る前に、前記バイパスを通って流れる。前記第一のプランジャーは、第一のカラー径を有する第一のカラー、及びボディ径を有するボディを含んでよく、前記ボディ径は、前記第一のカラー径よりも小さい。前記第一のプランジャーは、第二のカラー径を有する第二のカラーを含んでよく、前記ボディ径は、前記第二のカラー径よりも小さい。前記第二のカラー径は、前記第一のカラー径と実質的に同じであってよい。前記第一のチャンバーは、前記第一のチャンバーの遠位端部と前記第一のカラーとの間に遠位部分を含んでよく、及び前記第一のチャンバーは、前記第一のカラーと前記第二のカラーとの間に近位部分を含んでよい。前記第一のプランジャーが前記第一のチャンバーに対して移動するに従って、流体が、前記遠位部分から、前記バイパスを通って、前記近位部分に流れてよい。流体は、前記第一のチャンバーの前記近位部分から前記第三のチャンバーに移されてよい。
【００１２】
前記第二のチャンバーは、第一の経路径を有する第一の経路によって前記第一のチャンバーと流体接続されていてよく、前記第三のチャンバーは、第二の経路径を有する第二の経路によって前記第一のチャンバーと流体接続されていてよく、前記第一の経路径は、前記第二の経路径よりも小さくてよい。前記第一の経路は、第一の経路長を含んでよく、前記第二の経路は、第二の経路長を含んでよく、前記第一の経路長は、前記第二の経路長よりも長くてよい。前記第一の経路長は、第三のチャンバー径以上の長さの分、前記第二の経路長よりも長くてよい。前記流体の前記第一のチャンバーから前記第二のチャンバーへの体積流量は、前記流体の前記第一のチャンバーから前記第三のチャンバーへの体積流量よりも小さくてよい。前記第三のチャンバーへの流体の移送は、前記第三のプランジャーを前記第三のチャンバーに対して移動してよく、それによって、前記第三のチャンバーから前記ユーザーへ、前記針を通って前記医薬が吐出される。
【００１３】
前記医薬送達デバイスは、ピンを含んでよく、前記ピンは、前記ピンが前記第一のプランジャーの移動を阻止する第一のピン位置から、前記ピンが前記第一のチャンバーに対する前記第一のプランジャーの移動を可能とする第二のピン位置まで移動するように構成されている。前記作動アセンブリは、前記ピンを前記第一のピン位置から前記第二のピン位置まで移動させるように構成されていてよい。
【００１４】
薬物送達デバイスのための時間遅延機構の以下の詳細な記述は、添付の例示的な実施形態の図面と合わせて読むことでより良く理解される。しかし、本発明が、示される厳密な配列及び機器に限定されないことは理解されるべきである。
【図面の簡単な説明】
【００１５】
【図１】図１は、本発明の例示的な実施形態に従う送達デバイスの三軸測視図である。
【図２】図２は、図１に示した送達デバイスの、位置及び方向をライン２−２で示した平面に沿って切り取った上部断面図である。
【図３】図３は、図１に示した送達デバイスの、位置及び方向をライン３−３で示した平面に沿って切り取った前部断面図である。
【図４】図４は、本発明の例示的な実施形態に従う作動アセンブリが取り付けられた図１の送達デバイスの側面三軸測視図である。
【図５】図５は、図４の作動アセンブリの底面三軸測視図である。
【図６】図６は、図４のインターフェースアダプターコンポーネントの断面三軸測視図である。
【図７】図７は、図４の作動アセンブリの上側面断面三軸測視図である。
【図８】図８は、図４の送達デバイス及び作動アセンブリの上側面断面三軸測視図である。
【図９】図９は、図４の送達デバイス及び作動アセンブリの上側面断面三軸測視図である。
【図１０】図１０は、本発明の別の例示的な実施形態に従う作動アセンブリが取り付けられた図１の送達デバイスの側面三軸測視図である。
【図１１】図１１は、図１０の送達デバイス及び作動アセンブリの側面三軸測視図である。
【図１２】図１２は、図１０の送達デバイス及び作動アセンブリの側面三軸測視図である。
【図１３】図１３は、本発明の別の実施形態に従う送達デバイスの上側面三軸測視図である。
【図１４】図１４は、図１３の送達デバイスの上側面三軸測視図である。
【図１５】図１５は、図１３の送達デバイスの上側面三軸測視図である。
【発明を実施するための形態】
【００１６】
全体を通して類似の符号が類似の要素を示す前記図面を詳細に参照すると、図１〜１５は、本発明の例示的な実施形態に従う全体として２０と称される送達デバイスを示す。送達デバイス２０は、ユーザーの皮膚に結合されて、薬物又は医薬などの物質をユーザーに送達することができる。送達デバイス２０は、以下でより詳細に説明されるように、ある時間遅延の後にユーザーに医薬を送達するように構成されていてよい。送達デバイス２０は、選択された時間又は所定の時間の遅延後にユーザーに医薬を皮下送達するように構成されていてよい。送達デバイス２０は、送達デバイス２０をユーザーの皮膚に結合するパッチ２２を含んでよい。パッチ２２は、前記ユーザーの皮膚に自己接着する接着性パッチであってよい。送達デバイス２０は、パッチ２２に結合された筐体２４を含んでよい。
【００１７】
１つの実施形態では、送達デバイス２０は、単体式の携帯型インスリン送達ポンンプである。送達デバイス２０は、単回使用の使い捨てであって、再使用不可であってよい。送達デバイス２０は、小さい単回使用の使い捨てパッケージで治療能力を提供することができ、少なくとも一部分は、大量生産による製造（例：射出成形）及び組立のプロセスを用いて生産することができ、低コストの商品が可能となる。送達デバイス２０の実施形態は、広範な用途に用いることができ、限定されないが、臨床用途（例：医薬の投与など）及び生物医学研究（例：細胞へのマイクロインジェクション、核又は小器官の移植、単一細胞又はハイブリドーマの単離など）が挙げられる。
【００１８】
１つの実施形態では、送達デバイス２０は、前記ユーザー又は患者に、流体若しくは剤を分注、送達、又は投与するためのデバイスである。前記流体は、低粘度のゲル剤、及び  又は治療剤であってよい。１つの実施形態では、送達デバイス２０は、化学療法を受けている患者における白血球の産生を刺激するために、Ｎｅｕｌａｓｔａ（登録商標）（ペグフィルグラスチム）をユーザーに送達するように構成されている。遅延されたタイミングを必要とする他の薬物としては、化学療法剤、睡眠中に送達される高血圧治療剤、抗鬱剤、及び鎮痛剤が挙げられる。１つの実施形態では、前記流体は、鎮痛剤である。１つの実施形態では、前記流体は、いずれかの種類のインスリンである。他の実施形態では、前記流体は、限定されないが、アヘン剤及び／又は他の苦痛緩和剤若しくは鎮痛剤、ホルモン、向精神治療組成物、又は時間遅延あり若しくはなしでの連続投与が患者の治療での使用において望ましい又は有効である他のいずれかの薬物若しくは化学物質であってよい。単一の流体及び２つ以上の流体の組み合わせ（混合又は共投与）が、送達デバイス２０を用いて送達されてよい。本明細書で用いられる場合、「患者」又は「ユーザー」とは、ヒト又は非ヒト動物であってよく、送達デバイス２０の使用は、ヒトの医療のみに限定されず、獣医学的医療にも同等に適用することができる。
【００１９】
送達デバイス２０は、持続的な期間にわたって前記流体を分注してよい（すなわち、ベース送達）。１つの実施形態では、前記流体の送達速度は、前記持続的な期間にわたって、前記ユーザーに連続的に又はほぼ連続的に送達される。以下でより詳細に説明されるように、送達デバイス２０は、持続的な期間にわたって前記流体を分注してよいが、前記送達は、選択された又は所定の時間遅延後に初めて開始されてよい。時間遅延によって、介護者は、医薬の初期用量を患者に投与し、及び医薬の第二の用量が選択された計画で前記患者に投与されるように、送達デバイス２０を取り付けることが可能となり得る。
【００２０】
図２を参照すると、送達デバイス２０は、筐体２４内に医薬チャンバー２６を含んでよい。プランジャー２８は、医薬チャンバー２６の中に配置されてよい。プランジャー２８は、以下でより詳細に説明されるように、医薬チャンバー２６から医薬を吐出するために、医薬チャンバー２６内を移動してよい。１つの実施形態では、プランジャー２８は、液圧（例：液圧作動液）によって、医薬チャンバー２６に対して移動される。別の実施形態では、プランジャー２８は、付勢要素（例：バネ）又はガス圧力によって直接又は間接的に移動される。
【００２１】
送達デバイス２０は、流体を含有する第二のチャンバー３０を含んでよい。第二のプランジャー３２が、第二のチャンバー３０の中に配置されていてよい。第二のチャンバー３０は、医薬チャンバー２６とチャネルによって流体接続されていてよい。第二のプランジャー３２は、前記流体を第二のチャンバー３０から前記チャネルを通して医薬チャンバー２６に吐出するために、第二のチャンバー３０に対して移動可能であってよい。第二のチャンバー３０の近位端部３６に、壁部３４が配置されていてよい。壁部３４は、第二のチャンバー３０に対して固定されていてよい。付勢要素３８が、固定された壁部３４とプランジャー３２の一部分との間に配置されていてよい。付勢要素３８（例：バネ又は圧縮ガス）は、圧縮された状態から圧縮が解かれた状態に動くことによって、プランジャー３２を前記第二のチャンバーの遠位端部４０に向かって移動させてよい。
【００２２】
前記第二のプランジャーが第二のチャンバー３０に対して移動することを阻止するために、ピン４２などのキャッチ部が、第二のプランジャー３２に結合されていてよい。１つの実施形態では、ピン４２は、円形状の断面を有する。１つの実施形態では、ピン４２は、正方形などの非円形状の断面を有する。ピン４２は、ピン４２が前記筐体と接触することによって、前記ピンが第一のピン位置にある場合に第二のプランジャー３２の移動を阻止するように、筐体２４を通って延びていてよい、又は筐体２４に結合されていてよい。ピン４２は、第二のプランジャー３２に対して移動可能であってよい。ピン４２は、ピン４２が第二のプランジャー３２の移動を阻止する前記第一のピン位置から、ピン４２が第二のプランジャー３２の移動を可能とする第二のピン位置まで移動可能であってよい。ピン４２を第二のプランジャー３２から分離させることにより、前記第二のプランジャーが第二のチャンバー３０に対して移動することが可能となってよい。ピン４２は、さらに、又は別の選択肢として、医薬チャンバー２６のプランジャー２８に結合されていてもよい。１つの実施形態では、第二のプランジャー３２は、ピン４２を受けるための凹み部又は孔部を含んでいてよい。別の実施形態では、第二のプランジャー３２は、ピン４２が前記第一のピン位置にある場合に第二のプランジャー３２が第二のチャンバー３０の前記遠位端部に向かって移動することを抑制するように、ピン４２と係合するためのショルダー部又は突出部を含んでいてよい。
【００２３】
ピン４２が第二のプランジャー３２から分離されると、付勢要素３８は、第二のプランジャー３２を第二のチャンバー３０の遠位端部４０に向かって移動させてよい。第二のプランジャー３２の第二のチャンバー３０に対する移動は、前記流体を、第二のチャンバー３０から前記チャネルを通して医薬チャンバー２６中に吐出してよい。したがって、付勢要素３８は、第二のプランジャー３２及びプランジャー２８の各々を、それぞれ、第二のチャンバー３０及び医薬チャンバー２６に対して移動させてよい。プランジャー２８は、第二のチャンバー３０からの前記流体が医薬チャンバー２６に流入するに従って、前記医薬が針４４（針４４は図３が最も分かりやすい）を通して前記ユーザーへ吐出されるように、医薬チャンバー２６中において前記医薬を前記流体と分離してよい。
【００２４】
送達デバイス２０は、リモートデバイスと通信するように構成された通信モジュールを含んでよい。前記通信モジュールは、有線接続又は無線接続（例：近距離無線通信（ＮＦＣ）、赤外（ＩＲ）無線通信、Ｂｌｕｅｔｏｏｔｈ、又はＺｉｇｂｅｅ）を介して通信するように構成されていてよい。前記通信モジュールは、ユーザーの電話機又はコンピュータ上のアプリケーションと通信してよい。前記アプリは、前記ユーザーの電話機に、送達デバイス２０から前記医薬の送達を開始する時間をユーザーに知らせるためのシグナル（例：可聴又は触覚通知）を提供させてよい。前記通信モジュールは、前記通信モジュールを取り外すようにアラートが成された際に前記通信モジュールを取り外すことによって、前記医薬の送達が開始されるように、ピン４２に結合されていてよい。前記通信モジュールは、前記モジュールが適切な時間に取り外されたというシグナルを前記アプリに送信してよい。ユーザーは、送達デバイス２０が前記ユーザーに結合されたというシグナルを前記アプリに入力してよく、前記アプリは、選択された時間遅延の後に第二のシグナルを送って、前記ユーザーにピン４２を取り外すことによって送達デバイス２０を起動するように知らせてよい。
【００２５】
送達デバイス２０は、前記医薬の送達を開始するべき時間及び／又は送達デバイス２０を取り外すべき時間をユーザーに知らせるように構成されたタイマーを含んでよい。前記タイマーは、送達デバイス２０を起動して前記医薬を送達するようにユーザーに可聴、視覚、及び／又は触覚シグナルを提供するためのアラームを含んでよい。前記タイマーは、前記タイマーを送達デバイス２０から取り外すことによって前記送達デバイスが起動するように、ピン４２と接続されていてよい。１つの実施形態では、前記タイマーは、前記送達デバイスに取り付けられる外部デバイスである。１つの実施形態では、前記タイマーは、筐体２４内に配置される。
【００２６】
図４を参照すると、作動アセンブリ４６は、送達デバイス２０に結合されていてよい。考察を容易とするために、前記要素の一部は、図４に示される送達デバイス２０から取り除かれている。作動アセンブリ４６は、選択された時間遅延後に送達デバイス２０を起動するように構成されていてよい。作動アセンブリ４６は、既存の送達デバイス２０に結合されてよい。１つの実施形態では、送達デバイス２０の前記ユーザーが、作動アセンブリ４６を送達デバイス２０と接続する。１つの実施形態では、作動アセンブリ４６は、製造の過程で送達デバイス２０に結合され、それによって、前記ユーザーは、作動アセンブリ４６が既に送達デバイス２０に結合された状態の送達デバイス２０を受け取る。１つの実施形態では、作動アセンブリ４６は、送達デバイス２０と一体的に形成される。１つの実施形態では、作動アセンブリ４６は、送達デバイス２０に取り外し可能に結合される。１つの実施形態では、作動アセンブリ４６は、送達デバイス２０上にロックされ、送達デバイス２０から取り外されることを意図していない。
【００２７】
作動アセンブリ４６は、以下でより詳細に説明されるように、ピン４２を前記第一のピン位置（図８）から前記第二のピン位置（図９）まで移動させるように構成されていてよい。作動アセンブリ４６は、送達２０のスタートを遅延させるように構成されていてよい。例えば、送達デバイス２０は、前記ユーザーに取り付けられてよく、前記ユーザー又は前記介護者は、作動アセンブリ４６によって設定された所定の時間遅延後に初めて送達デバイス２０が起動されるように、作動アセンブリ４６をスタートさせてよい。前記時間遅延は、所望されるいかなる長さの時間であってもよい。前記時間遅延は、約１秒間、約５秒間、約１０秒間、約３０秒間、約１分間、約５分間、約１５分間、約３０分間、約４５分間、約１時間、約３時間、約５時間、約１０時間、約１５時間、約１８．５時間、約２０時間、約２４時間、約３６時間、又は約４８時間であってよい。
【００２８】
図４〜７を参照すると、作動アセンブリ４６は、ピン４２（図２参照）を係合するように構成されたアダプター４８（図７）を含んでよい。アダプター４８は、ピン４２の少なくとも一部分を受けるように構成された内部開口部５０を含んでよい。１又は複数のフランジ５２が、内部開口部５０に延びていてよい。フランジ５２は、ピン４２が内部開口部５０に存在する場合、ピン４２と係合していてよい。ピン４２は、ヘッド５４及びボディ５７を含んでよい。ネック５９が、ピン４２のヘッド５４とボディ５７との間に形成されていてよい。ネック５９は、ヘッド５４が内部開口部５０内にある場合にフランジ５２がネック５９と係合するように、ヘッド５４及び／又はボディ５７よりも小さい径を有していてよい。フランジ５２は、ヘッド５４が内部開口部５０に進入し、フランジ５２と接触するに従って、前記フランジが曲折するように、弾性を有していてよい。フランジ５２は、フランジ５２がネック５９に隣接すると、その曲折していない状態に戻ってよい。いくつかの実施形態では、アダプター４８は、磁石を含み、ピン４２は、アダプター４８が磁気的にピン４２に結合されるように、磁性材料又は鉄系材料を含む。
【００２９】
図５を参照すると、作動アセンブリ４６は、ギア５６を含んでよい。ギア５６は、作動アセンブリ４６に対して回転するように構成されていてよい。前記作動アセンブリは、ギア５６を回転させるように構成されたアクティベーター５８を含んでよい。１つの実施形態では、アクティベーター５８は、Ｐｒｅｃｉｓｉｏｎ  Ｍｉｃｒｏｄｒｉｖｅｓモデル１０３−１００又はモデル１２４−００２などのＤＣモーターである。別の実施形態では、アクティベーター５８は、引き紐、回転式ノブ、又はクランクハンドルである。１つの実施形態では、アクティベーター５８は、ギア５６と噛み合うドライブギア６０に結合されており、それによって、アクティベーター５８がドライブギア６０を回転させ、それがギア５６を回転させる。別の実施形態では、アクティベーター５８は、ギア５６に結合されており、それによって、前記モーターがギア５６を回転させる。
【００３０】
図５〜７を参照すると、ギア５６は、アダプター４８を受けるように構成された内部開口部６２を含んでよい。アダプター４８は、前記ギアが回転するに従って、ギア５６に対して移動してよい。内部開口部６２は、ネジ山付き周囲壁部６４によって定められていてよい。アダプター４８は、ギア５６とアダプター４８との間の相対的な回転が、ギア５６に対するアダプター４８の平行移動を引き起こすように、ネジ山付き周囲壁部６４と噛み合うように構成された雄ネジ６６を含んでよい。作動アセンブリ４６は、１又は複数のポスト６８を含んでよい。ポスト６８は、作動アセンブリ筐体７０に固定されていてよい。アダプター４８は、アダプター４８がポスト６８及びギア５６に対して平行移動可能となるように、ポスト６８をスライドさせながら受ける開口部を含んでよい。ポスト６８は、ギア５６の回転が、前記ギアの回転に従ってアダプター４８とギア５６との間のネジ山の係合によってアダプター４８を平行移動させるように成されるに従って、アダプター４８を作動アセンブリ４６及び／又はギア５６に対して回転させながら固定してよい。
【００３１】
図４〜５を参照すると、作動アセンブリ筐体７０は、上壁部７２及び上壁部７２から離れる方向に延びる側壁部７４を含んでよい。後壁部７６は、側壁部７４に結合されていてよい。筐体７０が送達デバイス２０上に配置される際に、側壁部７４が後壁部７６から独立して曲がることが可能となるように、側壁部７４と後壁部７６との間の移行部分にリリーフ部７８が形成されていてよい。側壁部７４は、後壁部７６に隣接する第一の部分８０、及び第一の部分８０に隣接する第二の部分８２を含んでよい。第一の部分８０は、上壁部７２から離れる方向に、第二の部分８２よりも長く延びていてよい。第一の部分８０及び後壁部７６の前記長さは、作動アセンブリ４６が送達デバイス２０に結合される際に、作動アセンブリ４６を送達デバイス２０上に整列させる補助となり得る。作動アセンブリ４６を送達デバイス２０上に整列させることにより、作動アセンブリ４６が送達デバイス２０に結合された場合に、アダプター４８がピン４２の一部分を受けることが確実にされ得る。側壁部７４は、筐体７０を送達デバイス２０に固定するためのフィーチャ７１（図４）を含んでよい。フィーチャ７１は、筐体フィーチャ７３と係合し得る（図１１が最も分かりやすい）。１つの実施形態では、側壁部フィーチャ７１は、突出部であってよく、筐体フィーチャ７３は、前記突出部を少なくとも一時的に受けるように構成された凹み部であってよい。別の実施形態では、側壁部フィーチャ７１は、凹み部であり、筐体フィーチャ７３は、突出部である。別の実施形態では、フィーチャ７１及びフィーチャ７３は、いずれも、ドエル、ピン、ネジ、又は留め具を受けるように構成された孔である。なお別の実施形態では、フィーチャ７１及びフィーチャ７３は、面ファスナー（例：Ｖｅｌｃｒｏ）を形成する、又は磁石である。取り外し時に前記筐体をより容易に掴めるように、側壁部８０の底エッジ部に突起部（図示せず）が形成されていてもよい。上壁面７２は、窓部８４を含んでよい。窓部８４があることで、送達デバイス２０にある用量インジケータ８６（図１）、又は前記送達デバイスの医薬チャンバー２６の内容物をユーザーが観察可能となり得る。
【００３２】
図８〜９を参照すると、アダプター４８は、ギア５６が回転するに従って、前記第一のアダプター位置（図８）から前記第二のアダプター位置（図９）まで移動してよい。アダプター４８が前記第一のピン位置から前記第二のピン位置まで移動されるに従って、フランジ５２は、ピン４２のヘッド５４と接触し、ピン４２を、前記第一のピン位置から前記第二のピン位置まで移動させてよい。付勢要素３８（図２）は、ピン４２が前記第二のピン位置まで移動された後に、第二のプランジャー３２を移動させてよい。第二のプランジャー３２が付勢要素３８によって移動され、それによってプランジャー２８を移動させるに従って、流体が、第二のチャンバー３０から医薬チャンバー２６に移されてよい。前記医薬は、プランジャー２８が移動するに従って、医薬チャンバー２６から分注されてよい。いくつかの実施形態では、第二のプランジャー３２は、アダプター４８又はアクティベーター５８が移動を停止するまで移動しない。いくつかの実施形態では、前記送達デバイスは、アクティベーター５８の移動及び続いての第二のプランジャー２８の移動という別個の工程を含む。
【００３３】
図１０〜１２を参照すると、全体として８８と称される前記作動アセンブリの第二の実施形態が示される。作動アセンブリ８８は、作動アセンブリの第一の実施形態４６に類似していてよいが、１つの相違点は、作動アセンブリ８８がギア５６を含んでいないことである。
【００３４】
作動アセンブリ８８は、アダプター９２に結合された係合部材９０を含んでよい。アダプター９２は、既に述べたように、ピン４２と係合するための内部開口部５０及びフランジ５２を含んでよい。係合部材９０は、第一の係合部材位置（図１１）から第二の係合部材位置（図１２）まで、アダプター９２に対して移動可能であってよい。１つの実施形態では、係合部材９０は、係合部材９０がアダプター９２に対して第一の軸線１００に沿ってスライド可能であるように、アダプター９２にスライド可能に結合される。係合部材９０は、ピン４２がアダプター９２によって係合された場合にピンヘッド５４を受けるための開口部９４を含んでよい。
【００３５】
係合部材９０は、作動アセンブリ８８に対して第二の軸線１０２に沿って移動可能であってよい（図１１〜１２）。前記係合部材は、ポスト９８を受けるように構成された開口部９６を含んでよい。ポスト９８は、第二の軸線１０２に沿った係合部材９２の移動を阻止するように構成されたキャッチ部１０４（図１２）を含んでよい。キャッチ部１０４は、ポスト９８の隣接する部分と比較して厚さが減少しているポスト９８のノッチ又は一部分であってよい。ポスト９８は、前記係合部材が前記第一の係合部材位置にある場合に、キャッチ部１０４が係合部材９４の表面又はエッジと係合して前記係合部材が第二の軸線１０２に沿って移動することを阻止するように、キャッチ部１０４にショルダー部を含んでよい。１つの実施形態では、第二の軸線１０２は、第一の軸線１００に対して直交している。別の実施形態では、第二の軸線１０２は、第一の軸線１００に対して傾いている。
【００３６】
係合部材９０は、キャッチ部１０４が第二の軸線１０２に沿った係合部材９０の移動を阻止する前記第一の係合部材位置から、前記係合部材が第二の軸線１０２に沿って移動可能である前記第二の係合部材位置まで、第一の軸線１００に沿って移動可能であってよい。１つの実施形態では、キャッチ部１０４は、ポスト９８の周囲に沿って延びている。別の実施形態では、キャッチ部１０４は、前記係合部材が前記第二の位置まで移動される際に、キャッチ部１０４と係合部材９０との間の偶発的な係合を阻止するために、ポスト９８の周囲の一部分にのみ形成される。さらに別の実施形態では、キャッチ部１０４が、前記係合部材が前記第一の係合部材位置にある場合にのみ係合部材９０と係合可能であるように、開口部９６の側壁部の１つの側が、別の側よりも厚い。
【００３７】
図１１〜１２を参照すると、作動アセンブリ８８は、アダプター９２を前記第二のアダプター位置に向かって推進するように構成された付勢要素１０６を含んでよい。１つの実施形態では、付勢要素１０６は、バネである。作動アセンブリ８８は、ベースプレート１０８を含んでよく、付勢要素１０６は、ベースプレート１０８及びアダプター９２に結合されていてよい。付勢要素１０６は、係合部材９０がキャッチ部１０４から分離すると、アダプター９２を前記第二のアダプター位置まで移動させてよい（図１２）。アダプター９２が前記第一のアダプター位置（図１１）から前記第二のアダプター位置（図１２）まで移動するに従って、アダプター９２は、ピン４２を、前記第一のピン位置から前記第二のピン位置まで移動させてよい。作動アセンブリ８８は、前記係合部材を前記第一の係合部材位置から前記第二の係合部材位置まで移動させるように構成されたアクチュエーター（図示せず）を含んでよい。１つの実施形態では、前記アクチュエーターは、ギア５６及びアクティベーター５８であってよく、それによって、ギア５６の回転が、係合部材９０を第一の軸線１００に沿って移動させる。別の実施形態では、ユーザーは、手動で前記係合部材を係合させること又は前記係合部材に結合された要素を係合させることのいずれかによって、前記係合部材を手動で移動させてよい。
【００３８】
送達デバイス２０の起動を外部デバイスに制御させるのではなく、前記遅延機構は、筐体２４に内蔵されていてよい。例えば、図１３〜１５を参照すると、全体として１１０と称される送達デバイスの第二の実施形態が示される。送達デバイス１１０は、既に述べた送達デバイス２０に類似しているが、考察を容易とするために、図１３〜１５において特徴の一部は省略した。送達デバイス１１０は、送達デバイス１１０の起動後、所定の時間遅延の後にユーザーに医薬を送達するように構成されていてよい。以下でより詳細に説明されるように、送達デバイス１１０の１又は複数の特徴が、所望される時間遅延を提供するために選択されてよい。
【００３９】
送達デバイス１１０は、第一のプランジャー１１４を中に備えた第一のチャンバー１１２を含んでよい。第一のプランジャー１１４は、第一のチャンバー１１２に対して移動可能であってよい。前記第一のチャンバーは、第一のプランジャー１１４を第一のチャンバー１１２の遠位端部１１８に向かって推進するように構成された付勢要素１１６を含んでよい。第一のプランジャー１１４は、既に述べたように、ピン４２によって少なくとも一時的に適切な位置に保持されてよく、前記ピンは、既に述べたように、作動アセンブリ４６、８８のうちの１つによって移動されてよい。第一のチャンバー１１２は、流体（例：液圧作動液）を受けるように構成されていてよい。
【００４０】
送達デバイス１１０は、第二のチャンバー１２０を含んでよい。前記第二のチャンバーは、膜でシールされていてよい。前記膜（図示せず）は、可撓性膜、伸縮性膜、又はガス透過性膜であってよい。送達デバイス１１０は、第二のチャンバー１２０の中に第二のプランジャー１２２を含んでよい。第二のプランジャー１２２は、第二のチャンバー１２０を流体シールしてよい。前記膜又は第二のプランジャー１２２は、前記第一のプランジャー１１４が前記第一のチャンバー１１２に対して移動する際に、前記第二のチャンバー１２０に対して移動するように構成されていてよい。第二のチャンバー１２０は、前記第一のチャンバーから前記流体を受けるように構成されていてよい。第一の経路１２４が、第一のチャンバー１１２を第二のチャンバー１２０に流体接続してよい。流体は、第一のピストン１１４が第一のチャンバー１１２に対して移動するに従って、第一の経路１２４を通して第一のチャンバー１１２から第二のチャンバー１２０に移されてよい。第二のピストン１２２は、前記流体が第二のチャンバー１２０に進入するに従って、第二のチャンバー１２０に対して移動してよい。別の実施形態では、第二のチャンバー１２０は、前記流体が第一のチャンバー１１２から移されるに従って、空気は排出させるが、前記流体の排出は阻止するガス透過性膜でシールされる。
【００４１】
送達デバイス１１０は、第三のチャンバー１２６を含んでよい。第三のプランジャー１２８が、第三のチャンバー１２６の中に移動可能に配置されていてよい。第三のチャンバー１２６は、医薬を受けるように適合されていてよい。第三のチャンバー１２６からの前記医薬は、既に述べたように、第三のプランジャー１２８が第三のチャンバー１２６に対して移動する際に、針を通ってユーザーに送達されてよい。第三のチャンバー１２６は、前記医薬が第三のチャンバー１２６から前記針を通ってユーザーに移されるように、針４４及び第三のチャンバー１２６と流体結合されるように構成されたエンドキャップ１２７を含んでよい。第三のチャンバー１２６は、第一のプランジャー１１４が第一のチャンバー１１２に対して移動する際に、第三のチャンバー１２６から医薬を吐出するように構成されていてよい。第三のプランジャー１２８は、第三のチャンバー１２６中の前記医薬が、第三のチャンバー１２６に進入する前記流体から分離されるように、第三のチャンバー１２６を流体シールしてよい。
【００４２】
第二の経路１３０が、第一のチャンバー１１２を第三のチャンバー１２６に流体接続してよい。第一のプランジャー１１４が第一のチャンバー１１２に対して移動するに従って、第一のチャンバー１１２からの前記流体の少なくとも一部分は、第三のチャンバー１２６に流れてよい。１つの実施形態では、前記流体は、前記流体が第一のチャンバー１１２から第三のチャンバー１２６に流れる前に、第一のチャンバー１１２から第二のチャンバー１２０に流れる。１つの実施形態では、第一の経路１２４の径は、第二の経路１３０の径よりも小さい。第一の経路１２４の長さは、第二の経路１３０の長さよりも長くてよい。第一の経路１２４の長さは、第三のチャンバー１２６の径以上の長さの分、第二の経路１３０の長さを超えていてよい。
【００４３】
第一のプランジャー１１４は、第一のチャンバー１１２を流体シールするように構成された第一のカラー１３２を含んでよい。第一のカラー１３２は、流体が第一のカラー１３２を越えて流れることを阻止するように、第一のチャンバー１１２の径と比較して実質的に同様の又は僅かに大きい外径を有してよい。第一のプランジャー１１４は、第一のカラー１３２に隣接するボディ１３４を含んでよい。ボディ１３４は、流体がボディ１３４の周囲を流れることができるように、第一のカラー１３２及び第一のチャンバー１１２よりも小さい径を有してよい。第一のプランジャー１１４は、第一のカラー１３２と実質的に同様の又は同じである径を有する第二のカラー１３６を含んでよい。
【００４４】
第一のチャンバー１１２は、第一のチャンバー１１２の遠位端部１１８と第一のカラー１３２との間に遠位部分１４０を含んでよい。第一のチャンバー１１２の近位部分１４２は、第一のプランジャー１１４の第一のカラー１３２と第二のカラー１３６との間であってよい。第一のチャンバー１１２は、バイパス１３８を含んでよい。バイパス１３８は、流体がバイパス１３８を通って遠位部分１４０から近位部分１４２に流れることができるように、第一のチャンバー１１２の側壁部にある凹み部であってよい。前記流体は、第二の経路１３０を通って近位部分１４２から第三のチャンバー１２６に流れてよい。しかし、いくつかの実施形態では、第一のカラー１３２が移動されてバイパス１３８に隣接するまで、前記流体が遠位部分１４０から近位部分１４２に流れないように、バイパス１３８は、第一のチャンバー１１２の長さ全体には延びていない。したがって、前記流体は、第三のチャンバー１２６に流れる前に、第二のチャンバー１２０に流れてよい。前記流体は、第三のチャンバー１２６に流れ始めると、第二のチャンバー１２０及び第三のチャンバー１２６に同時に流れてよい。第一のカラー１３２がバイパス１３８に隣接するように第一のプランジャー１１４が移動するのに要する時間は、前記選択された時間遅延であってよい。付勢要素１１６のバネ定数、第一のプランジャー１１４と第一のチャンバー１１２との間の摩擦、及び第一のチャンバー１１２の長さが、前記選択された時間遅延を実現するために選択されてよい。
【００４５】
第一の経路１２４及び第二の経路１３０の長さ、径、及び／又は材料、並びに第一のチャンバー１１２中の前記液圧作動液の粘度が、第一の経路１２４及び第二の経路１３０の各々を通る体積流量を変動させるために選択されてよい。第一の経路１２４を通る前記流量は、第二の経路１３０を通る流量よりも少なくてよい。第一の経路１２４を通る前記流量は、少なくとも部分的に、第一のチャンバー１１２に対する第一のピストン１１４の移動速度に影響を与え得る。例えば、より短い第一の経路１２４では、より長い第一の経路１２４の場合よりも、前記第一の経路を通る前記流体の流量が大きくなり得る。相対的に径がより大きい第一の経路１２４では、相対的に径がより小さい第一の経路１２４の場合よりも、前記第一の経路を通る前記流体の流量が大きくなり得る。第一の経路１２４を通る流量は、第一のプランジャー１１４が第一のチャンバー１１２に対して移動を開始する時間から前記流体が第三のチャンバー１２６に流れるまでの時間遅延に影響を与え得る。したがって、前記第一の経路の径及び／又は長さは、所望される時間遅延が実現されるように選択されてよい。１つの実施形態では、前記時間遅延は、ピン４２が取り外された時間から医薬が第三のチャンバー１２６から分注されるまでの長さである。
【００４６】
前記送達時間は、第三のプランジャー１２８が第三のチャンバー１２６に対して移動を開始する時間から医薬の用量が前記ユーザーに送達されるまでの時間であってよい。第三のプランジャー１２８は、医薬の用量を送達するために、第三のチャンバー１２６の全長さにわたって移動する必要はなくてよい。第三のプランジャー１２８の第三のチャンバー１２６に対する移動は、第二のプランジャー１２２の第二のチャンバー１２０に対する移動よりも速くてよい。１つの実施形態では、前記時間遅延は、前記送達時間よりも長い。別の実施形態では、前記時間遅延は、前記送達時間に等しい。なお別の実施形態では、前記時間遅延は、前記送達時間よりも短い。
【００４７】
当業者であれば、上記で示し、記載した例示的な実施形態に対して、その広い本発明の概念から逸脱することなく、変更が成されてもよいことは理解される。したがって、本発明が、示し、記載した例示的な実施形態に限定されるものではなく、請求項によって定められる本発明の趣旨及び範囲内の改変を含むことを意図していることは理解される。例えば、前記例示的な実施形態の特定の特徴は、請求される本発明の一部であっても、又はそうでなくてもよく、開示される実施形態の様々な特徴が組み合わされてもよい。「右」、「左」、「下側」、及び「上側」の語は、参照される図面の方向を表している。「内向き」及び「外向き」の語は、それぞれ、前記薬物送達デバイスの幾何学的中心に向かう方向、及びそこから離れる方向を意味する。本明細書において特に断りのない限り、「１つの（a）」、「１つの（an）」、及び「その（the）」の用語は、１つの要素に限定されず、そうではなく、「少なくとも１つの」を意味するものとして読み取られるべきである。
【００４８】
本発明の図及び記述の少なくとも一部は、本発明を明確に理解するのに適切な要素に集中するために簡略化されたものであるが、明確化の目的で、当業者であれば理解される他の要素を取り除くことも、本発明の一部分を成し得ることは理解されたい。しかし、そのような要素は、本技術分野において公知であり、本発明のより良好は理解を必ずしも促進しないことから、そのような要素の記述は本明細書において提供されない。
【００４９】
さらに、本発明の方法が本明細書で示される工程の特定の順番に依存しないという範囲内で、前記工程の前記特定の順番は、請求項に対する制限として解釈されるべきではない。本発明の方法に関するいずれの請求項も、記載された順番でのそれらの工程の実施に限定されるべきではなく、当業者であれば、前記工程が変更されてよく、それでも、本発明の趣旨及び範囲内から外れないことは容易に理解することができる。
【図１】
2020524024.tif 000003
【図２】
2020524024.tif 000004
【図３】
2020524024.tif 000005
【図４】
2020524024.tif 000006
【図５】
2020524024.tif 000007
【図６】
2020524024.tif 000008
【図７】
2020524024.tif 000009
【図８】
2020524024.tif 000010
【図９】
2020524024.tif 000011
【図１０】
2020524024.tif 000012
【図１１】
2020524024.tif 000013
【図１２】
2020524024.tif 000014
【図１３】
2020524024.tif 000015
【図１４】
2020524024.tif 000016
【図１５】
2020524024.tif 000017
【国際調査報告】
2020524024.tif 000018